(57)【要約】【課題】従来のエアーカーテン装置としての機能を保ちながら、吊り下げカーテンのような遮光性をも備えたエアーカーテン装置を提供することを目的とする。【解決手段】空気を吸い込む給気口２と、前記給気口２から吸い込まれた空気を吐き出す第一の排気口３と、前記給気口２から吸い込まれた空気を前記第一の排気口３から所定の空間を空けて前記第一の排気口３が吐き出す空気流と同一方向に吐き出す第二の排気口４と、前記給気口２から前記第一の排気口３及び前記第二の排気口４に空気を導く送風部と、光を遮る遮光性物質を発生する遮光性物質発生部と、前記遮光性物質発生部にて発生した遮光性物質を前記所定の空間に吐き出す遮光性物質排出口５とを備えたエアーカーテン装置を提供する。【選択図】図１
2017116248.tif 000002
【特許請求の範囲】
【請求項１】
空気を吸い込む給気口と、
前記給気口から吸い込まれた空気を吐き出す第一の排気口と、
前記給気口から吸い込まれた空気を前記第一の排気口から所定の空間を空けて前記第一の排気口が吐き出す空気流と同一方向に吐き出す第二の排気口と、
前記給気口から前記第一の排気口及び前記第二の排気口に空気を導く送風部と、
光を遮る遮光性物質を発生する遮光性物質発生部と、
前記遮光性物質発生部にて発生した遮光性物質を前記所定の空間に吐き出す遮光性物質排出口とを備えるエアーカーテン装置。
【請求項２】
前記遮光性物質発生部は、
単位時間当たりの遮光性物質の発生量を変更する請求項１に記載のエアーカーテン装置。
【請求項３】
前記遮光性物質排出口から吐き出される遮光性物質に対して光を照射する発光部を備えた請求項１または２に記載のエアーカーテン装置。
【請求項４】
前記遮光性物質排出口から吐き出される遮光性物質に対して画像を投影する投影機を備えた請求項１または２に記載のエアーカーテン装置。
【請求項５】
香り成分を発生する香り発生部と、
前記香り発生部にて発生した香り成分を前記所定の空間に吐き出す香り成分排出口とを備えた請求項１から４のいずれかに記載のエアーカーテン装置。
【請求項６】
前記遮光性物質は、
ミストである請求項１から５のいずれかに記載のエアーカーテン装置。
【請求項７】
前記遮光性物質は、
煙である請求項１から５のいずれかに記載のエアーカーテン装置。
【請求項８】
前記煙は、
スモーク液を気化させて得られる煙である請求項７記載のエアーカーテン装置。
【請求項９】
空気を吸い込む給気口と、
前記給気口から吸い込まれた空気を吐き出す排気口と、
前記給気口から前記排気口に空気を導く送風部と、
煙を発生する煙発生部と、
前記排気口から吐き出される空気流に前記煙発生部にて発生させた煙を混合する煙混合部とを備えるエアーカーテン装置。
【請求項１０】
前記排気口から当該排気口から吐き出される空気流に対して光を照射する発光部を備えた請求項９記載のエアーカーテン装置。
【発明の詳細な説明】
【技術分野】
【０００１】
本発明は、室内外あるいは室内同士を区画するエアーカーテン装置に関するものである。
【背景技術】
【０００２】
一般に、エアーカーテン装置は、家庭、事務所、商店、工場などの建築物の出入口等の開口部に設けられ、開口部に沿ってエアーをカーテン状に噴出すことによって、室内外あるいは室内同士を区画して、熱遮断効果や防虫効果を得ることができるものである（例えば特許文献１参照）。
【０００３】
一方、吊り下げカーテンは、遮光、防音、間仕切りなどを目的に使われる、波状の布製品である。近年では、その目的に応じて、布以外の材料を使ったものや、様々な形状のものが存在する。
【先行技術文献】
【特許文献】
【０００４】
【特許文献１】特開平５−１０６８９８号公報
【発明の概要】
【発明が解決しようとする課題】
【０００５】
このような従来のエアーカーテン装置においては、エアーは無色透明であり、本来のカーテンのような遮光を目的としたエアーカーテン装置はなかった。
【０００６】
そこで本発明は、従来のエアーカーテン装置としての機能を保ちながら、吊り下げカーテンのような遮光性をも備えたエアーカーテン装置を提供することを目的とする。
【課題を解決するための手段】
【０００７】
そして、この目的を達成するために、本発明に係るエアーカーテン装置は、空気を吸い込む給気口と、前記給気口から吸い込まれた空気を吐き出す第一の排気口と、前記給気口から吸い込まれた空気を前記第一の排気口から所定の空間を空けて前記第一の排気口が吐き出す空気流と同一方向に吐き出す第二の排気口と、前記給気口から前記第一の排気口及び前記第二の排気口に空気を導く送風部と、光を遮る遮光性物質を発生する遮光性物質発生部と、前記遮光性物質発生部にて発生した遮光性物質を前記所定の空間に吐き出す遮光性物質排出口とを備えたものであり、これにより所期の目的を達成するものである。
【発明の効果】
【０００８】
本発明に係るエアーカーテン装置によれば、遮光性物質を用いて、視界を遮るというブラインド機能を有するという効果を得ることができる。
【図面の簡単な説明】
【０００９】
【図１】本発明の実施の形態１に係るエアーカーテン装置の斜視図
【図２】本発明の実施の形態１に係るエアーカーテン装置の機能ブロック図
【図３】本発明の実施の形態１に係るエアーカーテン装置の設置断面図
【図４】本発明の実施の形態２に係るエアーカーテン装置の機能ブロック図
【図５】本発明の実施の形態２に係るエアーカーテン装置の設置断面図
【図６】本発明の実施の形態３に係るエアーカーテン装置の機能ブロック図
【図７】本発明の実施の形態３に係るエアーカーテン装置の斜視図
【図８】本発明の実施の形態４に係るエアーカーテン装置の機能ブロック図
【図９】本発明の実施の形態４に係るエアーカーテン装置の斜視図
【図１０】本発明に係るエアーカーテン装置の具体的な一実施例の設置例を示す上面図
【発明を実施するための形態】
【００１０】
本発明に係るエアーカーテン装置は、空気を吸い込む給気口と、前記給気口から吸い込まれた空気を吐き出す第一の排気口と、前記給気口から吸い込まれた空気を前記第一の排気口から所定の空間を空けて前記第一の排気口が吐き出す空気流と同一方向に吐き出す第二の排気口と、前記給気口から前記第一の排気口及び前記第二の排気口に空気を導く送風部と、光を遮る遮光性物質を発生する遮光性物質発生部と、前記遮光性物質発生部にて発生した遮光性物質を前記所定の空間に吐き出す遮光性物質排出口とを備えるという構成を有する。
【００１１】
これにより、第一の排気口と第二の排気口から吐き出される空気壁の間に遮光性物質排出口から吐き出される遮光性物質を充満させることができるので、従来のエアーカーテン装置にはなかった視界を遮るというブラインド機能を有するという効果を得ることができる。
【００１２】
また、前記遮光性物質発生部は、単位時間当たりの遮光性物質の発生量を変更するという構成にしてもよい。
【００１３】
これにより、物質の濃度を変化させることができるので、用途に応じてブラインド機能の強弱をつけることができるという効果を得ることができる。
【００１４】
また、前記遮光性物質排出口から吐き出される遮光性物質に対して光を照射する発光部を備えるという構成にしてもよい。
【００１５】
これにより、発光部から照射される光は様々な色を発光させることができるので、ブラインド効果を有しつつ、エアーカーテン装置による区画の識別やエアーカーテン装置以外の壁等の色との調和を取ることができるという効果を得ることができる。
【００１６】
また、前記遮光性物質排出口から吐き出される遮光性物質に対して画像を投影する投影機を備えるという構成にしてもよい。
【００１７】
これにより、投影機から照射される遮光性物質に画像を投影し反映することができるので、ブラインド効果を有しつつ、エアーカーテン装置による区画の識別やエアーカーテン装置以外の壁等の色や模様との調和を取ることができるという効果を得ることができる。
【００１８】
また、香り成分を発生する香り発生部と、前記香り発生部にて発生した香り成分を前記所定の空間に吐き出す香り成分排出口とを備えるという構成にしてもよい。
【００１９】
これにより、香り成分とをエアーカーテン装置に付加することができるので、ブラインド効果を有しつつ、防虫、脱臭効果やアロマなどによる癒し効果を得ることができる。
【００２０】
また、前記遮光性物質は、ミストであるという構成にしてもよい。
【００２１】
これにより、ミストによって視界を遮り、エアーカーテン装置によって区切られた空間の温度を逃がさないので、ブラインド効果を有しつつ、冷房効果を得、あるいは維持することができる。
【００２２】
また、前記遮光性物質は、煙であるという構成にしてもよい。
【００２３】
これにより、煙によって視界を遮ることができるので、従来のエアーカーテン装置にはなかった視界を遮るというブラインド機能を有するという効果を得ることができる。
【００２４】
また、前記煙は、液体ベースのスモーク液を気化させて得られる煙であるという構成にしてもよい。
【００２５】
これにより、液体ベースのスモーク液を気化させて得られる煙によって視界を遮ることができるので、従来のエアーカーテン装置にはなかった視界を遮るというブラインド機能を有するという効果を得ることができる。
【００２６】
また、空気を吸い込む給気口と、前記給気口から吸い込まれた空気を吐き出す排気口と、前記給気口から前記排気口に空気を導く送風部と、煙を発生する煙発生部と、前記排気口から吐き出される空気流に前記煙発生部にて発生させた煙を混合する煙混合部とを備えるという構成にしてもよい。
【００２７】
これにより、排気口から空気と煙を混合した煙が吐き出され、煙によって視界を遮ることができるので、従来のエアーカーテン装置にはなかった視界を遮るというブラインド機能を有するという効果を得ることができる。
【００２８】
また、前記排気口から当該排気口から吐き出される空気流に対して光を照射する発光部を備えるという構成にしてもよい。
【００２９】
これにより、発光部から照射される光は様々な色を発光させることができるので、ブラインド効果を有しつつ、エアーカーテン装置による区画の識別やエアーカーテン装置以外の壁等の色との調和を取ることができるという効果を得ることができる。
【００３０】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、書く図面において、本発明に直接には関係しない各部の詳細については説明を省略している。
【００３１】
（実施の形態１）
図１は、本発明のエアーカーテン装置１ａを建物の開口部１９に設置した概観を示す斜視図である。建物は、例えば、家庭、工場、事務所、商店等が挙げられるが、これらに限られるものではない。また、開口部１９は室内外あるいは室内同士を区切る出入り口である。
【００３２】
エアーカーテン装置１ａは、例えば背面を開口部１９の上部の壁２１に取り付けられている。エアーカーテン装置１ａは、給気口２と、第一の排気口３と、第二の排気口４と、遮光性物質排出口５とを備える。
【００３３】
給気口２は、エアーカーテン装置１ａの前面に開口として備えられる。
【００３４】
第一の排気口３は、配置時においてエアーカーテン装置１ａの下部に開口として備えられる。第一の排気口３は、給気口２からエアーカーテン装置１ａの内部に吸い込んだ空気を、下部すなわち開口部１９側に向けて吹き出す。第一の排気口３は、エアーカーテン装置１ａの前面視にして幅方向、すなわち左右方向について、開口部１９の幅とほぼ同一か、または広い幅を有した矩形を構成する。なお、図１ではエアーカーテン装置１ａは１つ設置し開口部１９を覆うようにしたが、エアーカーテン装置１ａは複数並べて開口部１９を覆うようにしてもよい。
【００３５】
第二の排気口４は、第一の排気口３と同様、配置時においてエアーカーテン装置１ａの下部に開口として備えられる。また、第二の排気口４は、給気口２からエアーカーテン装置１ａの内部に吸い込んだ空気を下部すなわち開口部１９側に向けて吹き出す。第二の排気口４は、第一の排気口３に対して後述する遮光性物質排出口５が設けられるような所定の空間を空けて、かつ、長辺を第一の排気口３と平行に、壁２１側に設けられている。また、第二の排気口４の長辺における両端部は、第一の排気口３の長辺における両端部と、前面視において一致する。なお所定の空間は、第一の排気口３と第二の排気口４との距離にして、約１ｃｍ〜５０ｃｍ程度であり、つまり所定の間隔とすることができる。
【００３６】
遮光性物質排出口５は、第一の排気口３と第二の排気口４との間の所定の空間に向けて設けられる。遮光性物質排出口５は、光を遮る遮光性物質を所定の空間に吐き出すことで、結果的に遮光性物質を、第一の排気口３と第二の排気口４とから吐き出された空気に乗せて開口部１９の上端から下端に向けて放出する。
【００３７】
第一の排気口３および第二の排気口４から吹き出される空気は、開口部１９の下端まで届く風勢を備えており、開口部１９の全体を覆うことでエアーカーテン２０を形成する。このとき、遮光性物質排出口５から遮光性物質を吐き出すことで、エアーカーテン２０は視界を遮ることができる。
【００３８】
ここでは、エアーカーテン装置１ａは開口部１９の上部に取り付けられ、上部から下方へ空気を吐き出す構成であるが、これに限るものではない。また、エアーカーテン装置１ａの前面に給気口２、下部に第一の排気口３と第二の排気口４を設けているが、設置箇所はこれらに限られるものではない。
【００３９】
図２は、本実施の形態に係るエアーカーテン装置１ａの機能ブロック図である。
【００４０】
エアーカーテン装置１ａは、上述のように図１において給気口２、第一の排気口３、第二の排気口４、遮光性物質排出口５を備えている説明した。しかし、図１では説明していないが、エアーカーテン装置１ａは、これらに加えてさらに送風部６、遮光性物質発生部７、香り発生部８、香り成分排出口９、制御部１８をも備えている。
【００４１】
送風部６は、給気口２から吸い込まれた空気を第一の排気口３と第二の排気口４に導くためのものであり、例えば、モーターと送風ファンとの組み合わせで構成される。送風部６は、給気口２と第一の排気口３とを連通する風路上、かつ給気口２と第二の排気口４とを連通する風路上に設けられる。
【００４２】
遮光性物質発生部７は、遮光性物質を生成して遮光性物質排出口５を介して所定の空間に排出する。遮光性物質とは、例えば、煙、ミストなどが挙げられる。ここでは、ミストを例に説明する。ここで言うミストは、水を霧状にしたものである。ミストの生成方法は、超音波加湿器方式やノズル噴霧方式など様々あるが、ミストを必要に応じて適量供給できればよく、その発生方法は限定しない。また、ここで使用するミストは目に見える必要があるため、１０μｍ以上の粒子径であることが望ましい。また、通過時に濡れないようにするためには、２０μｍ以下の粒子径であることが望ましい。
【００４３】
香り発生部８は、香り成分を発生させ、香り成分排出口９から排出さる。香り成分は、例えば、芳香剤やアロマなどで用いられる香りである。なお、香り成分は消臭剤や除菌剤などあってもよく、限定しない。また、香り発生部８は、香り成分を必要に応じて適量供給できればよく、その発生方法は限定しない。
【００４４】
香り成分排出口９は、例えば遮光性物質排出口５と共通の開口を利用できる。つまり、第一の排気口３と第二の排気口４の間の所定の空間に排出されることが望ましい。これにより、香りをより長く閉じ込めておくことが可能となる。
【００４５】
制御部１８は、送風部６、遮光性物質発生部７、香り発生部８と接続されており、エアーカーテン装置１ａへの命令を受け付けることで、送風部６による送風量、遮光性物質発生部７による遮光性物質の発生量、香り発生部８による香り成分の発生量等を制御する。
【００４６】
以上がエアーカーテン装置１ａの概略構成である。
【００４７】
続いて、図２、図３を参照しながらエアーカーテン装置１ａを動作させた場合の空気の流れについて詳しく説明する。なお図３は、本実施の形態に係るエアーカーテン装置１ａの設置断面図である。
【００４８】
エアーカーテン装置１ａに電源を投入して動作を開始させると、制御部１８の命令により送風部６が駆動し、給気口２から第一の排気口３を介して開口部１９の下部に向かう空気の流れ、すなわち空気流１３が発生する。また同時に、給気口２から第二の排気口４を介して開口部１９の下部に向かう空気流１４が発生する。なお、本実施の形態では、空気流１３と空気流１４とは速度、流量共に同じである。つまり、空気流１３と空気流１４とは、ほぼ平行かつほぼ等速で開口部１９の上部から下部へと流れる。
【００４９】
また制御部１８は、遮光性物質発生部７に命令を送信することで、遮光性物質発生部７はミスト１５を生成し、遮光性物質排出口５を介して所定の空間に排出する。遮光性物質排出口５から排出されたミスト１５は、空気流１３と空気流１４との流れの影響を受けて、所定の空間を開口部１９の上部から下部にかけて流れる。
【００５０】
また制御部１８は、香り発生部８に命令を送信することで、香り発生部８は香り成分を生成し、香り成分排出口９を介して所定の空間に排出する。香り成分排出口９から排出された香り成分は、ミスト１５と同様、空気流１３と空気流１４との流れの影響を受けて、所定の空間である空気流１３と空気流１４との間を開口部１９の上部から下部にかけて流れる。
【００５１】
以上により、空気流１３と空気流１４とミスト１５と香り成分とで構成されるエアーカーテン２０は、ミスト１５の影響を受けて白く曇った状態となる。つまり、開口部１９手前において、エアーカーテン２０を挟んだ開口部１９の向こう側は見えなくなり、視界を遮るというブラインド機能、すなわち遮光効果を備えることができる。
【００５２】
また、遮光性物質をミストとしているため、ミストによって視界を遮ることができる。また、エアーカーテン装置は、区切られた空間の温度を逃がすことを防止することができる。よって、ブラインド効果を有しつつ、冷暖房効果を維持することができる。
【００５３】
また、エアーカーテン２０は、香り成分を含むため、ブラインド効果を有しつつ、防虫、脱臭効果やアロマなどによる癒し効果を得ることができる。
【００５４】
（実施の形態２）
続いて、本発明の実施の形態２に係るエアーカーテン装置１ｂの構成について、図４を用いて説明する。なお、図４は、本実施の形態に係るエアーカーテン装置１ｂの機能ブロック図を示したものである。実施の形態１では、２つの排気口を用いた例を示したが、本実施の形態では、１つの排気口を用いた例を示す。
【００５５】
本実施の形態では、実施の形態１と比較して、遮光性物質発生部７、遮光性物質排出口５、香り発生部８、香り成分排出口９を備えず、煙発生部１１、煙混合部１２を備える。また、第一の排気口３と第二の排気口４を備えず、排気口１０のみを備える。なお、排気口１０は、例えば実施の形態１における第一の排気口３と同一の形状である。
【００５６】
煙発生部１１は、ヒーター等の熱源でスモーク液を熱する事で煙を発生させる。
【００５７】
ここでスモーク液とは、グリコール類と水を主成分とし、これらを同程度の比率で混合した混合液であり、一般的な名称としてフォグリキッドやスモークリキッドなどで知られる製品が例として挙げられる。このスモーク液を加熱、気化させて無数の細かい煙の粒子を発生させる。煙の粒子径は数１０μｍ程度である。
【００５８】
なお、スモーク液の種類や煙の粒子径は特に限定するものではないが、人体や環境に無害なものであることが望ましい。また、発煙方法についても限定しない。さらに、煙の色は白に限定しない。
【００５９】
煙混合部１２は、煙発生部１１から排出された煙と送風部６から導かれた空気を混合する。混合された空気は、図４に示すように、排気口１０へ送られる。なお煙混合部１２による混合は、特にファン等による攪拌を必要としない。
【００６０】
図５は、本実施の形態に係るエアーカーテン装置１ｂの設置断面図である。
【００６１】
排気口１０から吐き出された空気流には煙が混合されている。この煙混合空気流１６は、煙を含んでいるため、例えば、煙発生部１１で発生させた煙が白だった場合、白い煙混合空気流１６が吐き出され続ける。
【００６２】
このときエアーカーテン２０は、煙混合空気流１６により、白く曇ったように見える。これにより、開口部１９手前において、エアーカーテンを挟んだ開口部の向こう側は見えなくなっている。
【００６３】
以上のようにして、視界を遮る効果を得ることができる。
【００６４】
なお、本実施の形態では、送風部６と排気口１０の間に煙混合部１２がある構成だが、煙混合部１２は、給気口２と送風部６の間でも、排気口１０の後でもよい。
【００６５】
また、煙発生部１１が発生するスモーク液による煙は、実施の形態１における遮光性物質発生部７に適用することができる。この場合、必ずしも煙混合部１２は必要ではない。煙発生部１１は所定の空間に煙を排出するのみである。煙発生部１１は、空気流１３および空気流１４にそって煙を開口部１９の上部から下部に移動させることができる。
【００６６】
（実施の形態３）
続いて、本発明の実施の形態３に係るエアーカーテン装置１ｃの構成について、図６を用いて説明する。なお、図６は、本実施の形態に係るエアーカーテン装置１ｃの機能ブロック図である。
【００６７】
図６は、実施の形態１の構成に対し、発光部１７を追加した構成となっている。発光部１７以外の要素については、実施の形態１と同様であるため、説明は割愛する。
【００６８】
発光部１７は、遮光性物質排出口５から吐き出される遮光性物質に対して光を照射する。光源は、一般的にはＬＥＤや蛍光灯などであり、その種類や光の色は限定しない。
【００６９】
光の照射方法は、例えば、線状に遮光性物質排出口５から下部に向けて、空気流と平行に光を照射し面が一様に光るようにしてもよいし、スポットライトのようにエアーカーテン装置１ｃの左右方向の両端部や片端部から照射してもよい。光の照射方法は、遮光性物質に一様に当たる方法ならどんな方法でもよい。
【００７０】
図７に、発光部１７（図示せず）を付加したエアーカーテン装置１ｃの概観を示す。エアーカーテン２２に有色の光を照射することで、色のついたエアーカーテン２２を実現することができる。また、色をつけることで複数の開口部１９の識別をし、あるいは発光させることによって照明としても活用できる。
【００７１】
（実施の形態４）
続いて、本発明の実施の形態４に係るエアーカーテン装置１ｄの構成について、図８を用いて説明する。なお、図８は、本実施の形態に係るエアーカーテン装置１ｄの機能ブロック図である。
【００７２】
図８は、実施の形態１の構成に対し、投影機３６を追加した構成となっている。投影機３６以外の要素については、実施の形態１と同様であるため、説明は割愛する。
【００７３】
投影機３６は、遮光性物質排出口５から吐き出される遮光性物質に対して画像を投影する。投影機３６としては、高輝度、高解像度のＤＬＰ（登録商標）方式プロジェクターや、明るく大画面画像の液晶プロジェクターなどがあるが、その種類は限定しない。
【００７４】
画像の投影方法は、例えば、遮光性物質排出口５から下部に向けて、空気流と平行に画像を投影し、面が一様に投影するようにしてもよいし、スポットライトのようにエアーカーテン装置１ｄの左右方向の両端部や片端部から投影してもよい。画像の投影方法は、遮光性物質に一様に当たる方法ならどんな方法でもよい。
【００７５】
図９に、投影機３６（図示せず）を付加したエアーカーテン装置１ｄの概観を示す。エアーカーテン２２に画像を投影することで、色と模様のついたエアーカーテン２２を実現し、エアーカーテン装置１ｄ以外の壁等の色や模様との調和を取ることができる。
【００７６】
また、投影機３６から投影するものは、画像として説明してきたが映像でもよい。映像にすることで人々の注意を惹きつけメッセージやアナウンスを知らせて認知させることができる。
【００７７】
（具体的な一実施例）
図１０は、本実施の形態をトイレに使用した例を示している。なお、本例は使用方法を限定するものではない。
【００７８】
図１０（ａ）は、エアーカーテンを使用していない場合のトイレの例を示している。男性用トイレ３０には、洗面台３２が２つ、小便器３３が３つ、個室３４が２つある。また、女性用トイレ３１には、洗面台３２が３つ、個室３４が３つある。トイレの出入り口は、直接外部から内部が見えないようにするために通路をクランクさせている。
【００７９】
図１０（ｂ）は、本実施の形態のエアーカーテン装置１ａ、１ｂ、１ｃまたは１ｄを使用した場合のトイレの例を示している。エアーカーテン装置１ａ、１ｂ、１ｃ、１ｄにより遮光されているため、従来のような目隠しの壁は不必要となり、拡張領域３５が生まれる。これにより、男性用トイレ３０は、洗面台３２が２つから３つに、小便器３３が３つから４つに増設可能となり、また、女性用トイレ３１は、洗面台３２が３つから４つに、個室３４が３つから４つに増設可能となる。
【００８０】
例えば、男性用トイレは青、女性用トイレは赤の光にすることで、トイレの区別を光によってもすることができる。
【００８１】
以上のようにして、本発明のエアーカーテン装置により、新たな空間領域を作り出すこともできる。このようにして、従来、エアーカーテンを使用していなかった場所にもエアーカーテンを使用することができ、また、従来、エアーカーテンを使用していた場所にも新たな付加価値を生み出すことができる。
【００８２】
トイレを例に説明したが、他にも脱衣室や、会議室、喫煙スペースなど様々な場所で使用することができ、エアーカーテンの可能性を広げることができる。
【００８３】
（変形例）
また、遮光性物質発生部７は、単位時間当たりの遮光性物質の発生量を変更する構成としても良い。つまり、ミストの濃度やスモーク液を気化させて得られる煙の濃度を変更するのである。
【００８４】
これにより、物質の濃度を変化させることができるので、用途に応じてブラインド機能の強弱をつけることができるという効果を得ることができる。例えば実施例で述べたトイレでは、人を検知する人感センサをエアーカーテン装置に備える。人感センサでトイレ内に人が存在すると検知した場合は制御部へ信号を送り煙発生部で発生させる煙の濃度を濃くしてプライバシーを保つことができる。また、人感センサでトイレ内に人の検知をせず人が存在しないとなった場合は制御部へ信号を送り煙発生部で発生させる煙の濃度を濃くせずトイレ内の状態を開示することで使用状態を容易に把握することができる。
【００８５】
上述した複数の実施の形態は、矛盾の無い範囲で組み合わせて実施することができる。例えば、実施の形態３にて説明した発光部１７を実施の形態２に活用することも可能である。この場合、排気口１０から吹き出される空気流に対して発光部からの光を当てて、エアーカーテンに着色することが可能である。
【産業上の利用可能性】
【００８６】
本発明に係るエアーカーテン装置は、従来のエアーカーテン装置にはなかった視界を遮るというブラインド機能を有するエアーカーテン装置として有用である。
【符号の説明】
【００８７】
１ａ，１ｂ，１ｃ，１ｄ    エアーカーテン装置
２    給気口
３    第一の排気口
４    第二の排気口
５    遮光性物質排出口
６    送風部
７    遮光性物質発生部
８    香り発生部
９    香り成分排出口
１０    排気口
１１    煙発生部
１２    煙混合部
１３，１４    空気流
１５    ミスト
１６    煙混合空気流
１７    発光部
１８    制御部
１９    開口部
２０，２２    エアーカーテン
２１    壁
３０    男性用トイレ
３１    女性用トイレ
３２    洗面台
３３    小便器
３４    個室
３５    拡張領域
３６    投影機
【図１】
2017116248.tif 000003
【図２】
2017116248.tif 000004
【図３】
2017116248.tif 000005
【図４】
2017116248.tif 000006
【図５】
2017116248.tif 000007
【図６】
2017116248.tif 000008
【図７】
2017116248.tif 000009
【図８】
2017116248.tif 000010
【図９】
2017116248.tif 000011
【図１０】
2017116248.tif 000012